(57)【要約】出品者端末及び購入者端末と相互に通信可能なサーバは、出品者が自撮り動画を商品として出品し、購入者が該商品を購入するシステムにおいて購入者のリクエストに応じた自撮り動画を購入者に提供する装置であり、出品者端末から商品情報を受け付ける手段と、受け付けた商品情報を購入者端末に送信する手段と、商品情報を表示した購入者端末から購入指示を受付ける手段と、自撮りする際のリクエスト情報を購入者端末から受け付ける手段と、受け付けたリクエスト情報を出品者端末に送信する手段と、表示されたリクエスト情報に基づいて撮影された自撮り動画を出品者端から受け付ける手段と、受け付けた自撮り動画を購入者端末に送信する手段と、備える。
2017135039.tif 000002
【特許請求の範囲】
【請求項１】
ネットワークを介して、出品者が用いる出品者端末及び購入者が用いる購入者端末のそれぞれと相互に通信可能なメッセージ動画提供装置であって、
前記メッセージ動画提供装置は、
出品者が音声付きの自撮り動画を商品として出品し、購入者が該商品を購入するコンピュータシステムにおいて、購入者のリクエストに応じた音声付きの自撮り動画を購入者に提供するサーバ装置であり、
前記出品者端末から、出品した商品の説明、該商品の販売期間及び販売数、並びに動画の記録時間を、少なくとも含む商品情報を受け付ける商品情報受付手段と、
前記商品情報受付手段により受け付けた商品情報を、前記購入者端末に送信する商品情報送信手段と、
前記商品情報送信手段により送信された商品情報を表示した前記購入者端末から、表示された商品に対する購入指示を受付ける購入指示受付手段と、
前記購入指示を送信した前記購入者端末から、購入した商品において自撮りする際の音声及び映像に関するリクエストを含むリクエスト情報を受け付けるリクエスト情報受付手段と、
前記リクエスト情報受付手段により受け付けたリクエスト情報を、購入した商品を出品した出品者の前記出品者端末に送信するリクエスト情報送信手段と、
前記リクエスト情報送信手段により送信されたリクエスト情報を表示した前記出品者端末から、表示されたリクエスト情報に基づいて撮影された、音声付きの自撮り動画を受け付ける自撮り動画受付手段と、
前記自撮り動画受付手段により受け付けられた音声付きの自撮り動画を、前記購入指示を送信した前記購入者端末に送信する自撮り動画送信手段と、
を備えることを特徴とするメッセージ動画提供装置。
【請求項２】
請求項１記載のメッセージ動画提供装置であって、
前記リクエスト情報は、
購入者が出品者に呼んでもらいたい自分の名前、及び購入者から出品者へのメッセージを含むことを特徴とするメッセージ動画提供装置。
【請求項３】
請求項１又は２記載のメッセージ動画提供装置であって、
前記リクエスト情報は、
出品者に発してもらいたいセリフ、出品者に歌ってもらいたい歌、出品者に着てもらいたい衣装、及び出品者に演じてもらいたいポーズ、に関する情報のうち、少なくとも一つを含むことを特徴とするメッセージ動画提供装置。
【請求項４】
請求項１乃至３のいずれか１項に記載のメッセージ動画提供装置であって、
前記リクエスト情報送信手段により送信されたリクエスト情報を表示した前記出品者端末は、同一画面内に、前記リクエスト情報を表示するともに、撮影している音声付きの自撮り動画を表示することを特徴とするメッセージ動画提供装置。
【請求項５】
請求項１乃至４のいずれか１項に記載のメッセージ動画提供装置であって、
前記自撮り動画出力手段は、
前記音声付き自撮り動画を前記購入者端末にダウンロードして送信する、又は前記自撮り動画をストリーミング再生することにより、前記購入者端末に送信することを特徴とするメッセージ動画提供装置。
【請求項６】
ネットワークを介して、出品者が用いる出品者端末及び購入者が用いる購入者端末のそれぞれと相互に通信可能なメッセージ動画提供装置であって、
前記メッセージ動画提供装置は、
出品者が音声付きの自撮り動画を商品として出品し、購入者が該商品を購入するコンピュータシステムにおいて、購入者のリクエストに応じた音声付きの自撮り動画を購入者に提供するサーバ装置であり、
出品者による商品の出品を一意に識別可能な出品ＩＤと、該商品を出品した出品者を一意に識別可能なユーザＩＤ（以下、出品者のユーザＩＤ）と、出品した商品の説明、前記商品の販売期間及び販売数、並びに動画の記録時間を少なくとも含む商品情報と、を対応付けた出品データを記憶する出品データ記憶手段と、
購入者の商品に対する購入を一意に識別可能な購入ＩＤと、購入した商品の前記出品ＩＤと、該商品を購入した購入者を一意に識別可能なユーザＩＤ（以下、購入者のユーザＩＤ）と、購入した商品において出品者が自撮りする際の音声及び映像に関するリクエストを含むリクエスト情報と、を対応付けた購入データを記憶する購入データ記憶手段と、
前記購入ＩＤと、出品者が撮影した自撮り動画であるメッセージ動画と、を対応付けた動画データを記憶する動画データ記憶手段と、
前記出品者端末から、出品者により入力された前記商品情報を受信する商品情報受信手段と、
前記商品情報受信手段により受信した前記商品情報と、該商品情報を入力した前記出品者のユーザＩＤと、に基づいてから前記出品データを作成し、作成した前記出品データを前記出品データ記憶手段に登録する出品データ登録手段と、
前記購入者端末から、前記商品情報に関する第一の検索要求を受信する第一の検索要求受信手段と、
前記第一の検索要求受信手段により受信した前記第一の検索要求に基づき、前記出品データ記憶手段に登録された前記出品データの中から該当する前記出品データを抽出し、抽出した前記出品データの前記商品情報を、前記第一の検索要求を送信した前記購入者端末に、送信する商品情報送信手段と、
前記商品情報送信手段により送信された前記商品情報を表示した前記購入者端末から、購入者により入力された、該商品に対する購入指示を受信する購入指示受信手段と、
前記購入指示を送信した前記購入者端末から、購入した商品において自撮りする際の音声及び映像に関するリクエストを含む前記リクエスト情報を受信するリクエスト情報受信手段と、
前記リクエスト情報受信手段により受け付けた前記リクエスト情報と、購入した商品の前記出品ＩＤと、前記購入者のユーザＩＤと、に基づいて前記購入データを作成し、作成した前記購入データを前記購入データ記憶手段に登録する購入データ登録手段と、
前記出品者端末から、前記購入データに関する第二の検索要求を受信する第二の検索要求受信手段と、
前記第二の検索要求受信手段により受信した前記第二の検索要求に基づき、前記購入データ記憶手段に登録された前記購入データの中から該当する前記購入データを抽出し、抽出した前記購入データの前記リクエスト情報を前記出品者端末に送信するリクエスト情報送信手段と、
前記リクエスト情報送信手段により送信された前記リクエスト情報を表示した前記出品者端末から、表示されたリクエスト情報に基づいて撮影された、前記音声付きの自撮り動画を受信する自撮り動画受信手段と、
前記自撮り動画受信手段により受信した前記音声付きの自撮り動画と、前記リクエスト情報送信手段において抽出された前記購入データの前記購入ＩＤと、に基づいて前記動画データを作成し、作成した前記動画データを前記動画データ記憶手段に登録する動画データ登録手段と、
前記購入者端末からの前記動画データに対する出力要求を受信する出力要求受信手段と、
前記出力要求受信手段により受信した前記出力要求に基づき、前記動画データ記憶手段に登録された前記動画データの中から、該当する前記動画データを抽出し、抽出した前記動画データに基づいた前記音声付きの自撮り動画を、前記出力要求を送信した前記購入者端末に送信する自撮り動画送信手段と、
を備えることを特徴とするメッセージ動画提供装置。
【請求項７】
出品者が用いる出品者端末と、購入者が用いる購入者端末と、通信ネットワークを介して前記出品者端末及び前記購入者端末のそれぞれと相互に通信可能なサーバ装置と、を備え、出品者が音声付きの自撮り動画を商品として出品し、購入者が該商品を購入するコンピュータシステムにおいて前記サーバ装置が購入者のリクエストに応じた音声付きの自撮り動画を購入者に提供するメッセージ動画提供方法であって、
前記出品者端末から、出品した商品の説明、前記商品の販売期間及び販売数、並びに動画の記録時間を、少なくとも含む商品情報を受け付ける商品情報受付ステップと、
前記商品情報受付ステップにより受け付けた商品情報を、前記購入者端末に送信する商品情報送信ステップと、
前記商品情報送信ステップにより送信された商品情報を表示した前記購入者端末から、表示された商品に対する購入指示を受付ける購入指示受付ステップと、
前記購入指示を送信した前記購入者端末から、購入した商品において自撮りする際の音声及び映像に関するリクエストを含むリクエスト情報を受け付けるリクエスト情報受付ステップと、
前記リクエスト情報受付ステップにより受け付けたリクエスト情報を、購入した商品を出品した出品者の前記出品者端末に送信するリクエスト情報送信ステップと、
前記リクエスト情報送信ステップにより送信されたリクエスト情報を表示した前記出品者端末から、表示されたリクエスト情報に基づいて撮影された、音声付きの自撮り動画を受け付ける自撮り動画受付ステップと、
前記自撮り動画受付ステップにより受け付けられた音声付きの自撮り動画を、前記購入指示を送信した前記購入者端末に送信する自撮り動画送信ステップと、
を備えることを特徴とするメッセージ動画提供方法。
【請求項８】
出品者が用いる出品者端末と、購入者が用いる購入者端末と、通信ネットワークを介して前記出品者端末及び前記購入者端末のそれぞれと相互に通信可能なサーバ装置と、を備え、出品者が音声付きの自撮り動画を商品として出品し、購入者が該商品を購入するコンピュータシステムにおいて、購入者のリクエストに応じた音声付きの自撮り動画を購入者に提供するメッセージ動画提供プログラムであって、
前記サーバ装置に、
前記出品者端末から、出品した商品の説明、前記商品の販売期間及び販売数、並びに動画の記録時間を、少なくとも含む商品情報を受け付ける商品情報受付ステップと、
前記商品情報受付ステップにより受け付けた商品情報を、前記購入者端末に送信する商品情報送信ステップと、
前記商品情報送信ステップにより送信された商品情報を表示した前記購入者端末から、表示された商品に対する購入指示を受付ける購入指示受付ステップと、
前記購入指示を送信した前記購入者端末から、購入した商品において自撮りする際の音声及び映像に関するリクエストを含むリクエスト情報を受け付けるリクエスト情報受付ステップと、
前記リクエスト情報受付ステップにより受け付けたリクエスト情報を、購入した商品を出品した出品者の前記出品者端末に送信するリクエスト情報送信ステップと、
前記リクエスト情報送信ステップにより送信されたリクエスト情報を表示した前記出品者端末から、表示されたリクエスト情報に基づいて撮影された、音声付きの自撮り動画を受け付ける自撮り動画受付ステップと、
前記自撮り動画情報受付ステップにより受け付けられた音声付きの自撮り動画を、前記購入指示を送信した前記購入者端末に送信する自撮り動画送信ステップと、
を実行させることを特徴とするメッセージ動画提供プログラム。
【発明の詳細な説明】
【技術分野】
【０００１】
本発明は、二者間のコミュニケーションにおいて、メッセージ動画を提供する技術に関し、特に、通信ネットワークを介してオリジナルなメッセージ動画を提供するメッセージ動画提供装置、メッセージ動画提供方法、及びメッセージ動画提供プログラムに関する。
【背景技術】
【０００２】
昨今、アーティストは、コンサート、放送、雑誌などを介して不特定多数のファンにメッセージを送るだけでなく、ブログやＳＮＳ（Social  Networking  Service）などを通じてファンにメッセージを送るようになってきており、また、アーティストとファンとの間のインタラクティブなコミュニケーションも可能となっている。
【発明の概要】
【発明が解決しようとする課題】
【０００３】
しかしながら、上述したメッセージやコミュニケーションは、他のファンに介在されることのないプライベートなメッセージやコミュニケーションではない。勿論、一対一のインタラクティブなコミュニケーションが行えるイベント（例えば、握手会など）も存在するが、時間や場所の制約があり、誰もが参加できるものではない。【０００４】
本発明は上記の事情を鑑みてなされたものであり、例えば、アーティストがファン一人一人に対してメッセージ動画を提供する場合など、第一のユーザが作成したメッセージ動画を第二のユーザに届ける場合において、第二のユーザの要望を反映したオリジナルなメッセージ動画を第二のユーザに届けて、両者が満足するプライベートなコミュニケーションを成立させることができるメッセージ動画提供装置、メッセージ動画提供方法及びメッセージ動画提供プログラムを提供することを目的とする。
【課題を解決するための手段】
【０００５】
上記目的を達成するため、本発明に係るメッセージ動画提供装置は、その一態様として、ネットワークを介して、出品者が用いる出品者端末及び購入者が用いる購入者端末のそれぞれと相互に通信可能なメッセージ動画提供装置であって、前記メッセージ動画提供装置は、出品者が音声付きの自撮り動画を商品として出品し、購入者が該商品を購入するコンピュータシステムにおいて、購入者のリクエストに応じた音声付きの自撮り動画を購入者に提供するサーバ装置であり、前記出品者端末から、出品した商品の説明、該商品の販売期間及び販売数、並びに動画の記録時間を、少なくとも含む商品情報を受け付ける商品情報受付手段と、前記商品情報受付手段により受け付けた商品情報を、前記購入者端末に送信する商品情報送信手段と、前記商品情報送信手段により送信された商品情報を表示した前記購入者端末から、表示された商品に対する購入指示を受付ける購入指示受付手段と、前記購入指示を送信した前記購入者端末から、購入した商品において自撮りする際の音声及び映像に関するリクエストを含むリクエスト情報を受け付けるリクエスト情報受付手段と、前記リクエスト情報受付手段により受け付けたリクエスト情報を、購入した商品を出品した出品者の前記出品者端末に送信するリクエスト情報送信手段と、前記リクエスト情報送信手段により送信されたリクエスト情報を表示した前記出品者端末から、表示されたリクエスト情報に基づいて撮影された、音声付きの自撮り動画を受け付ける自撮り動画受付手段と、前記自撮り動画受付手段により受け付けられた音声付きの自撮り動画を、前記購入指示を送信した前記購入者端末に送信する自撮り動画送信手段と、を備えることを特徴とする。【０００６】
また、本発明に係るメッセージ動画提供装置は、別の一態様として、ネットワークを介して、出品者が用いる出品者端末及び購入者が用いる購入者端末のそれぞれと相互に通信可能なメッセージ動画提供装置であって、前記メッセージ動画提供装置は、出品者が音声付きの自撮り動画を商品として出品し、購入者が該商品を購入するコンピュータシステムにおいて、購入者のリクエストに応じた音声付きの自撮り動画を購入者に提供するサーバ装置であり、出品者による商品の出品を一意に識別可能な出品ＩＤと、該商品を出品した出品者を一意に識別可能なユーザＩＤ（以下、出品者のユーザＩＤ）と、出品した商品の説明、前記商品の販売期間及び販売数、並びに動画の記録時間を少なくとも含む商品情報と、を対応付けた出品データを記憶する出品データ記憶手段と、購入者の商品に対する購入を一意に識別可能な購入ＩＤと、購入した商品の前記出品ＩＤと、該商品を購入した購入者を一意に識別可能なユーザＩＤ（以下、購入者のユーザＩＤ）と、購入した商品において出品者が自撮りする際の音声及び映像に関するリクエストを含むリクエスト情報と、を対応付けた購入データを記憶する購入データ記憶手段と、前記購入ＩＤと、出品者が撮影した自撮り動画であるメッセージ動画と、を対応付けた動画データを記憶する動画データ記憶手段と、前記出品者端末から、出品者により入力された前記商品情報を受信する商品情報受信手段と、前記商品情報受信手段により受信した前記商品情報と、該商品情報を入力した前記出品者のユーザＩＤと、に基づいてから前記出品データを作成し、作成した前記出品データを前記出品データ記憶手段に登録する出品データ登録手段と、前記購入者端末から、前記商品情報に関する第一の検索要求を受信する第一の検索要求受信手段と、前記第一の検索要求受信手段により受信した前記第一の検索要求に基づき、前記出品データ記憶手段に登録された前記出品データの中から該当する前記出品データを抽出し、抽出した前記出品データの前記商品情報を、前記第一の検索要求を送信した前記購入者端末に、送信する商品情報送信手段と、前記商品情報送信手段により送信された前記商品情報を表示した前記購入者端末から、購入者により入力された、該商品に対する購入指示を受信する購入指示受信手段と、前記購入指示を送信した前記購入者端末から、購入した商品において自撮りする際の音声及び映像に関するリクエストを含む前記リクエスト情報を受信するリクエスト情報受信手段と、前記リクエスト情報受信手段により受け付けた前記リクエスト情報と、購入した商品の前記出品ＩＤと、前記購入者のユーザＩＤと、に基づいて前記購入データを作成し、作成した前記購入データを前記購入データ記憶手段に登録する購入データ登録手段と、前記出品者端末から、前記購入データに関する第二の検索要求を受信する第二の検索要求受信手段と、前記第二の検索要求受信手段により受信した前記第二の検索要求に基づき、前記購入データ記憶手段に登録された前記購入データの中から該当する前記購入データを抽出し、抽出した前記購入データの前記リクエスト情報を前記出品者端末に送信するリクエスト情報送信手段と、前記リクエスト情報送信手段により送信された前記リクエスト情報を表示した前記出品者端末から、表示されたリクエスト情報に基づいて撮影された、前記音声付きの自撮り動画を受信する自撮り動画受信手段と、前記自撮り動画受信手段により受信した前記音声付きの自撮り動画と、前記リクエスト情報送信手段において抽出された前記購入データの前記購入ＩＤと、に基づいて前記動画データを作成し、作成した前記動画データを前記動画データ記憶手段に登録する動画データ登録手段と、前記購入者端末からの前記動画データに対する出力要求を受信する出力要求受信手段と、前記出力要求受信手段により受信した前記出力要求に基づき、前記動画データ記憶手段に登録された前記動画データの中から、該当する前記動画データを抽出し、抽出した前記動画データに基づいた前記音声付きの自撮り動画を、前記出力要求を送信した前記購入者端末に送信する自撮り動画送信手段と、を備えることを特徴とする。【０００７】
また、本発明に係るメッセージ動画提供方法は、その一態様として、出品者が用いる出品者端末と、購入者が用いる購入者端末と、通信ネットワークを介して前記出品者端末及び前記購入者端末のそれぞれと相互に通信可能なサーバ装置と、を備え、出品者が音声付きの自撮り動画を商品として出品し、購入者が該商品を購入するコンピュータシステムにおいて前記サーバ装置が購入者のリクエストに応じた音声付きの自撮り動画を購入者に提供するメッセージ動画提供方法であって、前記出品者端末から、出品した商品の説明、前記商品の販売期間及び販売数、並びに動画の記録時間を、少なくとも含む商品情報を受け付ける商品情報受付ステップと、前記商品情報受付ステップにより受け付けた商品情報を、前記購入者端末に送信する商品情報送信ステップと、前記商品情報送信ステップにより送信された商品情報を表示した前記購入者端末から、表示された商品に対する購入指示を受付ける購入指示受付ステップと、前記購入指示を送信した前記購入者端末から、購入した商品において自撮りする際の音声及び映像に関するリクエストを含むリクエスト情報を受け付けるリクエスト情報受付ステップと、前記リクエスト情報受付ステップにより受け付けたリクエスト情報を、購入した商品を出品した出品者の前記出品者端末に送信するリクエスト情報送信ステップと、前記リクエスト情報送信ステップにより送信されたリクエスト情報を表示した前記出品者端末から、表示されたリクエスト情報に基づいて撮影された、音声付きの自撮り動画を受け付ける自撮り動画受付ステップと、前記自撮り動画受付ステップにより受け付けられた音声付きの自撮り動画を、前記購入指示を送信した前記購入者端末に送信する自撮り動画送信ステップと、を備えることを特徴とする。【０００８】
また、本発明に係るメッセージ動画提供プログラムは、その一態様として、出品者が用いる出品者端末と、購入者が用いる購入者端末と、通信ネットワークを介して前記出品者端末及び前記購入者端末のそれぞれと相互に通信可能なサーバ装置と、を備え、出品者が音声付きの自撮り動画を商品として出品し、購入者が該商品を購入するコンピュータシステムにおいて、購入者のリクエストに応じた音声付きの自撮り動画を購入者に提供するメッセージ動画提供プログラムであって、前記サーバ装置に、前記出品者端末から、出品した商品の説明、前記商品の販売期間及び販売数、並びに動画の記録時間を、少なくとも含む商品情報を受け付ける商品情報受付ステップと、前記商品情報受付ステップにより受け付けた商品情報を、前記購入者端末に送信する商品情報送信ステップと、前記商品情報送信ステップにより送信された商品情報を表示した前記購入者端末から、表示された商品に対する購入指示を受付ける購入指示受付ステップと、前記購入指示を送信した前記購入者端末から、購入した商品において自撮りする際の音声及び映像に関するリクエストを含むリクエスト情報を受け付けるリクエスト情報受付ステップと、前記リクエスト情報受付ステップにより受け付けたリクエスト情報を、購入した商品を出品した出品者の前記出品者端末に送信するリクエスト情報送信ステップと、前記リクエスト情報送信ステップにより送信されたリクエスト情報を表示した前記出品者端末から、表示されたリクエスト情報に基づいて撮影された、音声付きの自撮り動画を受け付ける自撮り動画受付ステップと、前記自撮り動画情報受付ステップにより受け付けられた音声付きの自撮り動画を、前記購入指示を送信した前記購入者端末に送信する自撮り動画送信ステップと、を実行させることを特徴とする。
【発明の効果】
【０００９】
本発明によれば、第一のユーザが作成したメッセージ動画を第二のユーザに届ける場合において、第二のユーザの要望を反映したオリジナルなメッセージ動画を第二のユーザに届けることができる。その結果、第一のユーザ及び第二のユーザがともに満足するプライベートなコミュニケーションを成立させることができる。
【図面の簡単な説明】
【００１０】
【図１】本発明の実施の形態に係るメッセージ動画提供システムの概略構成図である。
【図２】本発明の実施の形態に係るメッセージ動画提供システムにおけるユーザＤＢ、出品ＤＢ、購入ＤＢ及び動画ＤＢのデータ構成を模式的に示す図である。
【図３】本発明の実施の形態に係るメッセージ動画提供システムの出品処理の流れを示すフローチャートである。
【図４】本発明の実施の形態に係るメッセージ動画提供システムの購入処理の流れを示すフローチャートである。
【図５】本発明の実施の形態に係るメッセージ動画提供システムの動画作成支援処理及び動画登録処理の流れを示すフローチャートである。
【図６】本発明の実施の形態に係るメッセージ動画提供システムの動画出力処理の流れを示すフローチャートである。
【図７】本発明の実施の形態に係るメッセージ動画提供システムの出品画面の一例である。
【図８】本発明の実施の形態に係るメッセージ動画提供システムの商品詳細画面の一例である。
【図９】本発明の実施の形態に係るメッセージ動画提供システムのリクエスト入力画面の一例である。
【図１０】本発明の実施の形態に係るメッセージ動画提供システムの購入者一覧画面の一例である。
【図１１】本発明の実施の形態に係るメッセージ動画提供システムの動画撮影画面の一例である。
【図１２】本発明の実施の形態に係るメッセージ動画提供システムのアップロード画面の一例である。
【図１３】本発明の実施の形態に係るメッセージ動画提供システムの動画撮影画面の別の一例である。
【発明を実施するための形態】
【００１１】
以下、本発明の実施の形態について図面を用いて説明する。
【００１２】
＜メッセージ動画提供システムの構成＞
図１は、本発明の実施の形態に係るメッセージ動画提供システム１００の概略構成図である。メッセージ動画提供システム１００は、第一のユーザ（例えば、アーティストなど動画メッセージを提供する側；以下、出品者ともいう）が自撮りのメッセージ動画を一商品として販売し、第二のユーザ（例えば、ファンなど動画メッセージを購入する側；以下、購入者ともいう）が第一のユーザに自分の要望を伝えて上記商品を購入すると、第一のユーザは第二のユーザの要望を反映したメッセージ動画を作成し、作成したメッセージ動画を第二のユーザに届けるサービス（以下、メッセージ動画提供サービスという）を支援するコンピュータシステムである。
【００１３】
なお、メッセージ動画提供サービスは、会員制サービスとなっており、出品者である第一のユーザ、及び購入者である第二のユーザは、当該サービスの会員であることが前提となっている。また、本実施形態でいう「自撮りのメッセージ動画」とは、第一のユーザ自身が撮影の対象となるメッセージ動画をいい、第一のユーザ自身によって撮影されるほか、第三者（例えば、アーティストの関係者、マネージャーなど）によって撮影される場合も含まれるものである。
【００１４】
メッセージ動画提供システム１００は、図１に示すように、メッセージ動画提供サービスを提供する事業者が有するもので、メッセージ動画提供サービス実行の中核的な役割を担うメッセージ動画提供装置（以下、サーバという）１と、メッセージ動画提供サービスを利用するユーザ（出品者、購入者）が用いるユーザ端末（以下、端末という）２Ａ、２Ｂ、２Ｃ、…（以下、端末を総称して２と表記する）と、サーバ１と端末２を相互に通信可能とする、例えば、インターネット網などからなる通信ネットワーク３、とを備える構成である。
【００１５】
サーバ１は、例えば、ハードディスク等から構成され、メッセージ動画提供システム１００が管理するデータを記憶する記憶部１１と、例えば、ＣＰＵ及びメモリ等から構成され、記憶部１１の制御や、各種データの転送、種々の演算、データの一時的な格納等を行うことにより、本実施の形態の後述する各種処理（出品処理、購入処理、動画作成支援処理、動画登録処理、動画出力処理）を実行する制御部１２と、通信ネットワーク３を介して端末２とデータの送受信を行う通信部１３と、を備えている。
【００１６】
記憶部１１は、詳しくは、ユーザデータベース（以下、ユーザＤＢという）１１１、出品データベース（以下、出品ＤＢという）１１２、購入データベース（以下、購入ＤＢという）１１３、及び動画データベース（以下、動画ＤＢという）１１４を具備する構成となっている。図２にユーザＤＢ、出品ＤＢ、購入ＤＢ及び動画ＤＢのデータ構成の模式図を示す。
【００１７】
ユーザＤＢ１１１は、メッセージ動画提供サービスを利用する会員ユーザ（出品者、購入者）の属性情報を記憶するデータベースであり、図２（ａ）に示すように、ユーザを一意に識別可能なユーザＩＤと、ユーザ属性情報ｄ１１と、を対応付けて構成されたユーザデータｄ１０を記憶する。ここで、ユーザ種別は、ユーザが出品者であるか購入者であるかを識別するためのフラグであり、本実施の形態の場合、ユーザが出品者の場合、ユーザ属性情報ｄ１１は、ユーザ種別（出品者）、パスワード、名前、アイコン画像、所属会社、カテゴリー、などの情報を備え、ユーザが購入者の場合、ユーザ属性情報は、ユーザ種別（購入者）、パスワード、名前、アイコン画像、連絡先、などの情報を備える。ユーザデータｄ１０は、ユーザがメッセージ動画提供サービスに加入したときにユーザにより登録される情報であるが、その後、ユーザ属性に変更が生じた場合には、ユーザにより適宜変更される。
【００１８】
出品ＤＢ１１２は、出品者が出品するメッセージ動画（以下、出品されるメッセージ動画を「商品」ともいう）に関する情報を記憶するデータベースであり、図２（ｂ）に示すように、出品した商品を一意に識別可能な出品ＩＤと、出品属性情報と、を対応付けて構成された出品データｄ２０を記憶する。さらに詳しくは、出品属性情報は、当該商品を出品した出品者のユーザＩＤと、商品情報ｄ２１と、から構成されており、商品情報ｄ２１とは、本実施の形態の場合、商品名、アイコン画像、価格、販売期間、販売数、再生時間、タグ、カテゴリー、商品説明、複数購入可フラグ、メッセージタブ選択設定、要望タブ選択設定、作成期限などの情報を備えている。出品データｄ２０は、出品者が出品して、後述する出品処理が実行されると、出品ＤＢ１１２に登録されるデータであり、誰がどのような商品を出品したのかを記録したデータとなっている。
【００１９】
購入ＤＢ１１３は、購入者が購入した商品に対する要望（リクエスト）に関する情報を記憶するデータベースであり、図２（ｃ）に示すように、購入者の注文を一意に識別可能な購入ＩＤと、購入属性情報ｄ３１と、を対応付けて構成された購入データｄ３０を記憶する。さらに詳しくは、購入属性情報ｄ３１は、購入した商品の出品ＩＤと、購入者のユーザＩＤと、リクエスト情報ｄ３２と、から構成されており、リクエスト情報ｄ３２とは、本実施の形態の場合、呼んで欲しい名前、アイコン画像、メッセージ、メッセージ選択タブ、要望、要望タブ、注文日などの情報を備えている。購入データｄ３０は、購入者が商品を購入して、後述する購入処理が実行されると、購入ＤＢ１１３に登録されるデータであり、購入者がどのような商品を購入したのか、及び購入した商品に対する要望（リクエスト）を記録したデータとなっている。
【００２０】
動画ＤＢ１１４は、出品者が撮影したメッセージ動画を記憶するデータベースであり、図２（ｄ）に示すように、購入ＩＤと、出品者が撮影したメッセージ動画ｄ４１と、を対応付けて構成された動画データｄ４０を記憶する。動画データｄ４０は、後述する動画登録処理が実行されると、動画ＤＢ１１４に登録されるデータであり、購入ＩＤごと、つまり同一商品であっても購入者ごとに作成された動画を記録したデータとなっている。
【００２１】
制御部１２を、主たる機能ごとに細分化すると、出品処理を実行する出品情報登録部１２１、購入処理を実行する購入情報登録部１２２、動画作成支援処理を実行する動画作成支援部１２３、動画登録処理を実行する動画登録部１２４、及び動画出力処理を実行する動画出力部１２５に分類される。
【００２２】
出品情報登録部１２１は、出品処理を実行することにより、出品者が入力した商品情報ｄ２１に基づいて出品データｄ２０を作成し、作成した出品データｄ２０を出品ＤＢ１１２に登録するようになっている。
【００２３】
購入情報登録部１２２は、購入処理を実行することにより、購入者が入力したリクエスト情報ｄ３２に基づいて購入データｄ３０を作成し、作成した購入データｄ３０を購入ＤＢ１１３に登録するようになっている。
【００２４】
動画作成支援部１２３は、出品者がメッセージ動画を撮影する場合に利用される処理である動画作成支援処理を実行することにより、購入者のリクエスト情報ｄ３２を出品者の端末２に表示するようになっている。
【００２５】
動画登録部１２４は、動画登録処理を実行することにより、出品者が撮影したメッセージ動画ｄ４１から動画データｄ４０を作成し、作成した動画データｄ４０を動画ＤＢ１１４に登録するようになっている。
【００２６】
動画出力部１２５は、動画出力処理を実行することにより、購入者が注文した商品のメッセージ動画ｄ４１を端末２に出力するようになっている。本実施の形態におけるメッセージ動画の出力形態は、サーバ１によるストリーミング再生、メッセージ動画ｄ４１を端末２にダウンロードした後の端末２による再生のほか、メッセージ動画ｄ４１を所定の情報記録媒体（例えば、ＣＤ（Compact  Disc）やＤＶＤ（Digital  Versatile  Disc）など）に記録した後、この記録媒体を購入者のもとに届ける方法などがある。
【００２７】
なお、サーバ１は、上述したようなアプリケーションサーバ、データベースサーバとしての機能の他、図示していないが、Ｗｅｂ（World  Wide  Web）サーバとしての機能を有しており、端末２とＷｅｂを活用した情報授受ができるようになっている。さらに、サーバ１は、物理的に一つからなる装置の他、複数の装置がネットワーク接続されたシステムから構成されてもよく、複数の装置で構成された場合には、同一の場所にすべてが設置されていてもよいし、複数の場所に分散して設置されていてもよい。
【００２８】
また、本実施の形態に係る各種処理（出品処理、購入処理、動画作成支援処理、動画登録処理、動画出力処理）を実行するプログラムは、上述したメモリなどの主記憶装置やハードディスクなどの補助記憶装置に格納されているものである。そして、このプログラムは、ハードディスク、フレキシブルディスク、ＣＤ（Compact  Disc）、ＤＶＤ（Digital  Versatile  Disc）、ＢＤ（Blu-ray（登録商標）  Disc）などのコンピュータが読み取り可能な記録媒体に記録することも、通信ネットワークを介して配信することも可能である。
【００２９】
端末２は、例えば、スマートフォン、タブレット端末、パーソナルコンピュータ（personal  computer；ＰＣ）などの情報端末が想定されており、詳しくは、記憶部２１と、ＵＩ（User  Interface）部２２と、撮影部２３と、通信部２４と、制御部２５と、を具備する構成である。以下、一例としてスマートフォンを端末２に用いた場合について詳細に説明する。
【００３０】
記憶部２１は、例えば、フラッシュメモリ等から構成され、制御部２５が制御に用いるデータやプログラムなどを記憶するようになっている。本実施の形態の記憶部２１には、ブラウザソフト、メッセージ動画提供サービスを利用するための端末用アプリケーションソフト（以下、端末用アプリという）などのソフトがインストールされている。また、出品者の端末２においては、出品者が撮影したメッセージ動画、購入者の端末２においては、ダウンロードしたメッセージ動画などが記憶される。
【００３１】
ＵＩ部２２は、情報端末の入力部及び出力部を兼ねるものであり、ユーザからの入力操作を受け付けるとともに、入力操作に応じて制御部２５にて処理された結果を出力するようになっている。スマートフォンの場合、表示画面を兼ねたタッチパネル、マイク、スピーカなどで構成されている。
【００３２】
撮影部２３は、ビデオカメラ機能により、音声を含んだ動画の撮影を行う機能を有している。本実施の形態では、出品者の端末２において、出品者が自撮り動画を撮影する際に必要な機能である。したがって、撮影部２３は、購入者の端末２においては必ずしも必要な機能ではない。
【００３３】
通信部２４は、ブラウザソフト及び端末用アプリなどにより、通信ネットワーク３を介してサーバ１とデータの送受信を行うようになっている。
【００３４】
制御部２５は、例えば、ＣＰＵ及びメモリ等から構成され、記憶部２１の制御や、各種データの転送、種々の演算、データの一時的な格納等を行うことにより、メッセージ動画提供システム１００における端末２側の処理を実行する。なお、本実施の形態の場合、端末２に少なくともブラウザソフト又は端末用アプリのいずれか一方がインストールされていれば、メッセージ動画提供システム１００における端末２側の処理は、実現可能となっている。
【００３５】
＜メッセージ動画提供システムの動作＞
次に、図３〜図１３を用いて、本実施の形態に係るメッセージ動画提供システム１００の動作について説明する。ここで、図３〜図６は、メッセージ動画提供システム１００の各種処理の流れを示すシーケンス図であり、図７〜図１３は、メッセージ動画提供システム１００における端末２の画面例を示す図である。なお、図３〜図６に示すメッセージ動画提供システム１００の各種処理は、ユーザ（出品者、購入者）がメッセージ動画提供システム１００においてユーザ認証された後（ユーザＩＤ及びパスワードの入力により認証された後のログイン状態において）、実行される処理である。また、メッセージ動画提供システム１００の各種処理における端末２側の処理は、上述したようにブラウザ機能でも実現可能であるが、図３〜図１２は、端末２にインストールされた端末用アプリの機能により実現される場合を示している。
【００３６】
＜出品処理＞
まず、図３を用いて、メッセージ動画提供システム１００の出品処理について説明する。なお、図３は、メッセージ動画提供システム１００の出品処理の流れを示すシーケンス図である。
【００３７】
出品者は、出品者の端末２から出品画面選択の指示を行う（ステップＳ１）。例えば、出品者は、端末２に表示されたメッセージ動画提供サービスの初期画面のメニューの中から「出品する」を選択する。この結果、出品者の端末２から出品画面の表示要求がサーバ１に送信される（ステップＳ２）。
【００３８】
サーバ１は、出品者の端末２から出品画面の表示要求を受信すると、ユーザＤＢ１１１に記憶された出品者のユーザデータｄ１０に基づいて、出品画面用のデータを作成し（ステップＳ３）、出品画面用のデータを出品者の端末２に送信する（ステップＳ４）。ここで、出品画面用のデータとは、例えば、出品者のアイコン画像、カテゴリーなどのデータである。
【００３９】
出品画面用のデータを受信した出品者の端末２は、受信した出品画面用のデータに基づいて、出品画面ｄｉｓ１を表示する（ステップＳ５）。図７に出品画面ｄｉｓ１の一例を示す。
【００４０】
出品者は、出品画面ｄｉｓ１において必要な入力事項、つまり商品情報ｄ２１を入力する（ステップＳ６）。具体的には、商品名Ｉ０１（例えば、「アーティストＡの１０秒個別メッセージ」）、アイコン画像ＩＯ０２（例えば、アーティストＡの複数の画像）、価格Ｉ０３（例えば、２０００円）、販売期間Ｉ０４（例えば、２０１５年１月〜１５日）、販売数Ｉ０５（例えば、１００名）、メッセージ動画の再生時間Ｉ０６（例えば、１５秒）、検索時に使用されるタグＩ０７（例えば、アーティストＡ、ドラマ）、カテゴリーＩＯ０８（例えば、アイドル、女性）、商品説明Ｉ０９（例えば、ファン垂涎！人気女優がオリジナルメッセージをくれるよ！）を入力し、一ユーザで複数の商品購入が可能か否か示す複数購入フラグＩ１０の設定（例えば、複数購入可）、購入者が複数の選択肢の中から選択可能なメッセージタブ選択Ｉ１１の設定（例えば、「応援します」、「愛しているよ」、「もっと頑張れ」、「可愛いね」の４つの選択肢を設定）、購入者が複数の選択肢の中から選択可能な要望タブ選択Ｉ１２の設定（例えば、「衣装リクエスト」、「ポーズリクエスト」、「せりふリクエスト」、「歌リクエスト」の４つの選択肢を設定）を行う。
【００４１】
なお、アイコン画像ＩＯ０２は、ユーザＤＢ１１１に記憶されている、出品者のアイコン画像がデフォルト表示されるが、出品者のアイコン入れ替え操作により他の画像と入れ替え可能であり、また、カテゴリーＩＯ０８は、ユーザＤＢ１１１に記憶されている、出品者のカテゴリーがデフォルト表示されるが、出品者の入力により変更可能である。
【００４２】
商品情報ｄ２１を入力後、出品者が出品ボタンＩ１３を押下すると（ステップＳ７）、出品者の端末２は、入力された商品情報ｄ２１をサーバ１に送信する（ステップＳ８）。
【００４３】
サーバ１は、商品情報ｄ２１を受信すると、受信した商品情報ｄ２１と、出品者のユーザＩＤに基づいて出品データｄ２０を作成し、作成した出品データｄ２０を出品ＤＢ１１２に登録する（ステップＳ９）。
【００４４】
なお、図３に示した出品処理では、端末２の端末用アプリの機能を用いて、出品処理を実行したが、これとは別に、端末２のブラウザ機能を用いて、出品処理を実行してもよい。この場合、サーバ１は、ステップＳ４において、出品者の端末２に出品画面用のデータを送信するのではなく、出品画面用のデータに基づいて出品画面を作成し、作成した出品画面を出品者の端末２に送信するものである。
【００４５】
このように本実施の形態に係る出品処理によれば、出品者側で価格Ｉ０３、販売期間Ｉ０４、販売数Ｉ０５、再生時間Ｉ０６等の条件を自由に設定できるので、出品者側が企画した商品の範囲内で購入者のリクエストを反映したメッセージ動画を作成することができる。すなわち、商品に対する大枠（方向性）の設定は出品者側にある。また、出品者側で、メッセージタブ選択設定や要望タブ設定などの選択肢を自由に設定できるので、メッセージや要望に関しても出品者の嗜好性をメッセージ動画にある程度反映させることができる。
【００４６】
＜購入処理＞
次に、図４を用いて、メッセージ動画提供システム１００の購入処理について説明する。なお、図４は、メッセージ動画提供システム１００の購入処理の流れを示すシーケンス図である。
【００４７】
購入者は、購入者の端末２から商品選択の指示を行う（ステップ１１）。例えば、メッセージ動画提供サービスに用意された「検索」の機能を利用して（例えば、商品名、カテゴリーなど）、多数の商品の中から所望の商品を選択する。この結果、購入者の端末２から選択された商品の詳細画面の表示要求がサーバ１に送信される（ステップＳ１２）。
【００４８】
サーバ１は、購入者の端末２から商品の詳細画面の表示要求を受信すると、選択された商品の出品ＩＤに基づいて、出品ＤＢ１１２から該当する出品データｄ２０を抽出するとともに、選択された商品の出品者のユーザＩＤに基づいて、ユーザＤＢ１１１から該当するユーザデータｄ１０に抽出して、商品の詳細画面用のデータを作成し（ステップＳ１３）、商品詳細画面用のデータを購入者の端末２に送信する（ステップＳ１４）。ここで、商品の詳細画面用のデータとは、例えば、出品者のアイコン画像、所属会社、商品名、商品説明、価格、販売期間、販売数、再生時間などのデータである。
【００４９】
商品の詳細画面用のデータを受信した購入者の端末２は、受信した商品の詳細画面用のデータに基づいて、商品の詳細画面ｄｉｓ２を表示する（ステップＳ１５）。図８に商品の詳細画面ｄｉｓ２の一例を示す。商品の詳細画面ｄｉｓ２には、具体的には、選択された商品の出品者のアイコン画像Ｏ２１（例えば、アーティストＡの画像）、所属会社Ｏ２２（例えば、株式会社ＸＸＸＸ）、商品名Ｏ２３（例えば、「アーティストＡの１０秒個別メッセージ」）、商品説明Ｏ２４（例えば、ファン垂涎！人気女優がオリジナルメッセージをくれるよ！）、価格Ｏ２５（例えば、２０００円）、販売期間Ｏ２６（例えば、２０１５年１月〜１５日）、販売数Ｏ２７（例えば、１００名）、再生時間Ｏ２８（例えば、１５秒）が表示される。なお、図８の商品の詳細画面ｄｉｓ２に示された商品は、図７の出品画面ｄｉｓ１にて入力された商品である。
【００５０】
購入者は、商品の詳細画面ｄｉｓ２において購入数Ｉ２９（例えば、１個）を入力して、購入ボタンＩ３０を押下すると、（ステップＳ１６）、購入者の端末２は、入力された購入数をサーバ１に送信する（ステップＳ１７）。なお、出品処理において出品者が複数購入を不可にした場合（図７の複数購入フラグＩ１０を不可に設定した場合）には、購入数は１以外入力できない。
【００５１】
サーバ１は、購入数を受信すると、購入者のユーザＩＤに基づいて、ユーザＤＢ１１１から該当するユーザデータｄ１０を抽出して、リクエストの入力画面用のデータを作成し（ステップＳ１８）、リクエストの入力画面用のデータを購入者の端末２に送信する（ステップＳ１９）。ここで、リクエストの入力画面用のデータとは、例えば、購入者のアイコン画像、購入者の名前（漢字、かな）などのデータである。
【００５２】
リクエストの入力画面用のデータを受信した購入者の端末２は、受信したリクエストの入力画面用のデータに基づいて、リクエスト入力画面ｄｉｓ３を表示する（ステップＳ２０）。図９にリクエスト入力画面ｄｉｓ３の一例を示す。リクエスト入力画面ｄｉｓ３には、具体的には、購入者のアイコン画像ＩＯ３１（例えば、ユーザＢの画像）、名前Ｏ３２（例えば、ユーザＢ）が表示される。なお、図９のリクエスト入力画面ｄｉｓ３は、ユーザＢが図８の商品の詳細画面ｄｉｓ２に示された商品を購入した場合の画面である。
【００５３】
購入者は、リクエスト入力画面ｄｉｓ３において呼んで欲しい名前（漢字、かな）Ｉ３３（例えば、「じろうじろう」、「次郎次郎」）、メッセージＩ３４（例えば、「１１月３０日の横アリのコンサート、感動しちゃいました（恥）。これからも応援します」）、メッセージ選択タブＩ３５（例えば、「応援します」）、要望Ｉ３６（例えば、「いつもの「だっちゅーの」ポーズしてほしい」）、要望タブＩ３７（例えば、「ポーズリクエスト」）を入力して、送信ボタンＩ３８を押下すると、（ステップＳ２１）、購入者の端末２は、リクエスト情報ｄ３２をサーバ１に送信する（ステップＳ２２）。
【００５４】
なお、アイコン画像ＩＯ３１は、ユーザＤＢ１１１に記憶されているアイコン画像がデフォルト表示されるが、購入者のアイコン入れ替え操作により他の画像と入れ替え可能である。また、メッセージ選択タブＩ３５及び要望タブＩ３７は、出品処理において出品者が設定したメッセージ選択タブ及び要望タブ（図７のメッセージタブ設定Ｉ１１、要望タブ選択Ｉ１２）の中から選択されるものである。
【００５５】
サーバ１は、リクエスト情報ｄ３２を受信すると、受信したリクエスト情報ｄ３２、購入者のユーザＩＤ、及び購入した商品の出品ＩＤに基づいて購入データｄ３０を作成し、作成した購入データｄ３０を購入ＤＢ１１３に登録する。
【００５６】
なお、図４では、図８に示したように、購入数１の場合について説明したが、購入数が複数の場合には、ステップＳ１８〜ステップＳ２３の処理を複数回実行するものである。これにより、購入数分の購入データｄ３０が購入ＤＢ１１３に登録される。
【００５７】
また、図４に示した購入処理では、端末２の端末用アプリの機能を用いて、購入処理を実行したが、これとは別に、端末２のブラウザ機能を用いて、購入処理を実行してもよい。この場合には、サーバ１は、ステップＳ１３において、商品の詳細画面用のデータに基づいて商品の詳細画面を作成し、作成した商品の詳細画面を購入者の端末２に送信し、また、ステップＳ１８において、リクエストの入力画面用のデータに基づいてリクエストの入力画面を作成し、作成したリクエストの入力画面を購入者の端末２に送信するものである。
【００５８】
このように本実施の形態に係る購入処理によれば、購入者側が、呼んで欲しい名前Ｉ３３、出品者へのメッセージＩ３４やメッセージ選択タブＩ３５、及び出品者への要望Ｉ３６や要望タブＩ３７を入力できるので、自撮り動画に対する音声や映像に関する種々のリクエストを出品者に届けることができる。すなわち、購入者側の嗜好性が反映されたメッセージ動画の作成を依頼することができる。
【００５９】
＜動画作成支援処理、動画登録処理＞
次に、図５を用いて、メッセージ動画提供システム１００の動画作成支援処理、及び動画登録処理について説明する。なお、図５は、メッセージ動画提供システム１００の動画作成支援処理、及び動画登録処理の流れを示すシーケンス図である。
【００６０】
出品者は、出品者の端末２において、購入者一覧画面を表示している状態において（ステップＳ３１）、動画作成の指示を行う（ステップＳ３２）。この結果、出品者の端末２から動画作成画面の表示要求がサーバ１に送信される（ステップＳ３３）。
【００６１】
例えば、端末２に表示されたメッセージ動画提供サービスに用意された「出品商品一覧画面」（図示せず；出品者が出品した商品の一覧画面）の中から所望の商品（動画撮影の対象となっている商品）を選択すると、選択した商品の「購入者一覧画面」が表示されるので、この「購入者一覧画面」において、いずれかの購入者（購入ＩＤ）を選択する。図１０に購入者一覧画面ｄｉｓ４の一例を示す。購入者一覧画面ｄｉｓ４には、出品者が選択した商品（動画撮影する商品）に関する情報Ｏ４１（例えば、出品者のアイコン画像、商品名、販売期間、作成期限、現時点での購入者数、現時点での売上金額など）が表示されるとともに、当該商品を購入した購入者に関する情報ＩＯ４２（例えば、購入ＩＤ、購入者のアイコン画像、購入者の名前、購入日など）が表示されるので、出品者は、購入者に関する情報ＩＯ４２の中からいずれか一つの購入ＩＤを選択することにより、選択した購入ＩＤに対して動画作成の指示を行う。なお、図１０の購入者一覧画面ｄｉｓ４は、図７の出品画面ｄｉｓ１に示された商品を購入した購入者の購入者一覧画面である。
【００６２】
なお、図１０において、購入者一覧画面ｄｉｓ４に表示される購入者に関する情報ＩＯ４２は、当然のことながら、未だメッセージ動画が作成されていない購入ＩＤである。勿論、これとは別の方法により、購入者一覧画面ｄｉｓ４を表示してもよく、例えば、既にメッセージ動画が作成された購入ＩＤも含めて表示するとともに、購入ＩＤごとにメッセージ動画が作成されたか否かを示すフラグも表示してもよい。この場合には、未だメッセージ動画が作成されていない購入ＩＤだけが選択可能となる。
【００６３】
サーバ１は、出品者の端末２から動画作成画面の表示要求を受信すると、選択された購入ＩＤに基づいて、購入ＤＢ１１３から該当する購入データｄ３０を抽出するとともに、選択された商品の出品ＩＤに基づいて、出品ＤＢ１１２から該当する出品データｄ２０を抽出して、動画作成画面用のデータを作成し（ステップＳ３４）、動画作成画面用のデータを出品者の端末２に送信する（ステップＳ３５）。ここで、動画作成画面用のデータとは、例えば、購入者のアイコン画像、再生時間（撮影時間）、呼んで欲しい名前（漢字、かな）、メッセージ、メッセージ選択タブ、要望、要望タブなどのデータである。
【００６４】
動画作成画面用のデータを受信した出品者の端末２は、受信した動画作成画面用のデータに基づいて、動画作成画面ｄｉｓ５を表示する（ステップＳ３６）。図１１に動画作成画面ｄｉｓ５の一例を示す。動画作成画面ｄｉｓ５には、再生時間（撮影時間）Ｏ５３（例えば、１５秒）が表示されるとともに、購入者のアイコン画像Ｏ５４、購入者が呼んで欲しい名前（漢字、かな）Ｏ５５（例えば、「じろうじろう」、「次郎次郎」）、メッセージＯ５６（例えば、「１１月３０日の横アリのコンサート、感動しちゃいました（恥）。これからも応援します」）、メッセージ選択タブＯ５７（例えば、「応援します」）、要望Ｏ５８（例えば、「いつもの「だっちゅーの」ポーズしてほしい」）、要望タブ０５９（例えば、「ポーズリクエスト」）が表示されるとともに、撮影部２３により撮影される自撮り動画Ｏ５１（例えば、アーティストＡの動画）が表示されるようになっている。なお、図１１の動画作成画面ｄｉｓ５は、ユーザＢが図９のリクエスト入力画面ｄｉｓ３において入力したリクエスト情報ｄ３２が表示されたものである。
【００６５】
これにより、出品者は、動画作成画面ｄｉｓ５に表示されたリクエスト情報ｄ３２を見ながら、自撮り動画Ｏ５１を撮影することができる。すなわち、出品者は、リクエスト情報ｄ３２を見て、リクエスト内容を把握した後に、撮影ボタンＩ５２を押下して、メッセージ動画ｄ４１の撮影を開始する（ステップＳ３７）。このメッセージ動画ｄ４１は、出品者が、リクエスト情報ｄ３２に基づいて、メッセージ音声を発したり、外見及び姿勢を変化させたりして、購入者の要望に応えた自撮り動画である。次いで、出品者は、表示された再生時間（撮影時間）や経過時間に基づいて、再度、撮影ボタンＩ５２を押下して、メッセージ動画の撮影を終了させる。この結果、撮影されたメッセージ動画ｄ４１は、端末２の記憶部２１に記録される。
【００６６】
メッセージ動画ｄ４１の撮影が終了すると、出品者の端末２は、アップロード画面ｄｉｓ６を表示する（ステップＳ３８）。図１２にアップロード画面ｄｉｓ６の一例を示す。アップロード画面ｄｉｓ６には、アップロードボタンＩ６３（例えば、「今すぐアップロード」と表示されたボタン）のほか、アップロード画面ｄｉｓ６を終了させるボタン（例えば、「あとでアップロード」と表示されたボタン）が設けられている。また、アップロード画面ｄｉｓ６には、各種編集ボタンＩ６２（例えば、スタンプ、サイン、トリミング、動画挿入、音楽挿入などのボタン）が設けられており、撮影したメッセージ動画ｄ４１の編集も可能である。なお、撮影されたメッセージ動画ｄ４１、及びその後、編集されたメッセージ動画ｄ４１は、表示部Ｏ６１で再生可能である。これにより、出品者は、自ら撮影したメッセージ動画の内容を確認することができる。そして、内容に満足できない場合には、ステップＳ３７の処理を繰り返すことにより、再度、メッセージ動画を撮影することが可能である。
【００６７】
出品者は、アップロード画面ｄｉｓ６において、アップロードボタンＩ６３を押下して、アップロードの指示を行うと（ステップＳ３９）、出品者の端末２から撮影されたメッセージ動画ｄ４１がサーバ１に送信される（ステップＳ４０）。
【００６８】
サーバ１は、メッセージ動画ｄ４１を受信すると、選択された購入ＩＤ及びメッセージ動画ｄ４１に基づいて動画データｄ４０を作成し、作成した動画データｄ４０を動画ＤＢ１１４に登録する（ステップＳ４１）。
【００６９】
なお、図５に示した動画登録処理では、撮影されたメッセージ動画ｄ４１を個別にサーバ１に送信するアップロードを行ったが（ステップＳ３９）、撮影されたメッセージ動画ｄ４１をまとめて複数アップロードするようにしてもよい。この場合には、図示しない一括アップロード画面において、アップロードの対象となるメッセージ動画を選択し、選択したメッセージ動画（撮影済みかつアップロードされていないメッセージ動画）をまとめてアップロードするものである。
【００７０】
また、図５に示した購入処理では、端末２の端末用アプリの機能を用いて、動画作成支援処理及び動画登録処理を実行したが、これとは別に、端末２のブラウザ機能を用いて、動画作成支援処理及び動画登録処理を実行してもよい。この場合には、サーバ１は、ステップＳ３４において、動画作成画面用のデータに基づいて動画作成画面を作成し、作成した動画作成画面を出品者の端末２に送信するものである。端末２のブラウザ機能を用いた場合の動画作成画面ｄｉｓ７を図１３に示す。この場合には、出品者が、表示されたリクエスト情報Ｏ７２〜Ｏ７６の内容を確認して撮影ボタン０７７を押下すると、端末２が備えるビデオカメラのアプリケーションが起動してしまうので、撮影中はリクエスト情報Ｏ７２〜Ｏ７６を見ることができない。すなわち、図１１の動画作成画面ｄｉｓ５と異なり、リクエスト情報ｄ３２を見ながら撮影することができないが、リクエスト情報ｄ３２の内容を記憶しておくことにより、購入者のリクエストに応じたメッセージ動画を作成することができる。
【００７１】
このように本実施の形態に係る動画作成支援処理及び動画登録処理によれば、出品者は、購入者側が入力したリクエスト情報ｄ３２、つまり、自撮り動画に対する音声や映像に関する種々のリクエストの内容を確認しながら、自撮り動画を撮影することができるので、購入者の嗜好性が反映されたメッセージ動画を容易に作成することができる。この結果、購入者の嗜好性が反映されたオリジナルなメッセージ動画が作成されることとなる。
【００７２】
＜動画出力処理＞
次に、図６を用いて、メッセージ動画提供システム１００の動画出力処理について説明する。なお、図６は、メッセージ動画提供システム１００の動画出力処理の流れを示すシーケンス図であり、ストリーミング再生によりメッセージ動画を再生する場合を示している。
【００７３】
購入者は、購入者の端末２からメッセージ動画の選択指示を行い（ステップＳ５１）、選択されたメッセージ動画に対して動画再生指示を行う（ステップＳ５２）。例えば、メッセージ動画提供サービスに用意された「動画選択画面」を表示すると、購入者が購入した商品のメッセージ動画が一覧表示されるので、購入者は、この一覧表示の中から再生したいメッセージ動画を選択した後、当該メッセージ動画を再生させる指示を行う。この結果、購入者の端末２から選択されたメッセージ動画の再生要求がサーバ１に送信される（ステップＳ５３）。
【００７４】
サーバ１は、購入者の端末２からメッセージ動画の再生要求表示を受信すると、選択されたメッセージ動画の購入ＩＤに基づいて、動画ＤＢ１１４から該当する動画データｄ４０を選択し、選択した動画データｄ４０のメッセージ動画ｄ４１を再生する（ステップＳ５４）。この結果、再生されたメッセージ動画ｄ４２は随時、再生され購入者の端末２に送信される（ステップＳ５５）。
【００７５】
この結果、サーバ１からメッセージ動画ｄ４１を受信した購入者の端末２は、メッセージ動画ｄ４１を再生する（ステップＳ５６）。
【００７６】
このように本実施の形態に係る動画出力処理によれば、購入者は、自らの動画再生指示により、購入したメッセージ動画ｄ４１を視聴することができるので、日時や場所の制約を受けずにオリジナルなメッセージ動画ｄ４１の視聴を楽しむことができる。また、ストリーミング再生でなく、ダウンロードや記録媒体での納品の場合も、日時や場所の制約を受けずにオリジナルなメッセージ動画ｄ４１の視聴を楽しむことができる。
【００７７】
以上、本実施の形態のメッセージ動画提供システム１００によれば、例えば、アーティストがファン一人一人に対してメッセージ動画を提供する場合において、ファンの要望を反映したオリジナルなメッセージ動画をファンに届けることができるので、両者が満足するプライベートなコミュニケーションを成立させることができる。
【００７８】
より詳しくは、アーティスト側にすれば、イベントでなくても、ファンと直接的なコミュニケーションを取ることができるので、ファンに親近感を覚えてもらうことができ、継続的なファンになってもらうことができる。また、ファン側にすれば、他のファンに介在されないプライベートなコミュニケーションの機会を得ることができるので、より充実した満足感を得ることができる。
【００７９】
なお、図７〜図１３に示した例では、アーティストが１人である場合について説明したが、グループで構成されるアーティストでもよい。この場合には、メッセージ動画の撮影の対象となる人物は複数となる。
【００８０】
また、本実施形態では、アーティストがメッセージ動画を単独の商品として販売する方法について説明したが、メッセージ動画の提供方法はこれに限定されない。例えば、所定のサイトで販売されているデータや画像（静止画、動画）などのダウンロード商品、又はグッズなどの物理的商品を購入した場合に、付随的に本メッセージ動画を提供するようにしてもよい。また、ＣＤショップなどの実店舗で販売されているＣＤなどの商品を購入した場合、該商品の中に封入されているクーポンなどを用いた申込に対して本メッセージ動画を提供するようにしてもよい。
【００８１】
＜その他の実施の形態＞
なお、上記実施の形態においては、動画メッセージを提供する第一のユーザをアーティスト、動画メッセージを購入する第二のユーザをそのファンとして説明したが、第一のユーザ及び第二のユーザはこれに限定されるものではない。例えば、第一のユーザは、スポーツ選手や芸能人など不特定多数のファンを有する者であればよく、そのような者がファンに対してパーソナルな動画メッセージを届ける場合にも適用は可能である。また、上記実施の形態では、第一のユーザは複数の第二のユーザに対して動画メッセージを届ける場合を想定して説明したが、第一のユーザが一の第二のユーザに対して動画メッセージを届ける場合であってもよい。商品の販売という観点からは異なるが、例えば、リアルタイムにコミュニケーションを取れない親しい者同士（例えば、恋人同士）がメッセージ動画提供サービスの機能を用いて、相手のリクエストに合わせたメッセージ動画を相手に届けるようにしてもよい。勿論、この場合には、上記で説明した商品情報ｄ２１の一部は不要である（例えば、価格、販売期間、販売数などの情報）。
【００８２】
このように上記実施の形態に係るメッセージ動画提供システム１００は、プライベートな動画メッセージをやりとりしたいあらゆる二者間のコミュニケーションに適用することが可能である。
【００８３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【００８４】
１  メッセージ動画提供装置（サーバ）
２  ユーザ端末（端末）
３  通信ネットワーク
１１  記憶部
１２  制御部
１３  通信部
２１  記憶部
２２  ＵＩ部
２３  撮影部
２４  通信部
２５  制御部
１００  メッセージ動画提供システム
１１１  ユーザデータベース（ユーザＤＢ）
１１２  出品データベース（出品ＤＢ）
１１３  購入データベース（購入ＤＢ）
１１４  動画データベース（動画ＤＢ）
１２１  出品情報登録部
１２２  購入情報登録部
１２３  動画作成支援部
１２４  動画登録部
１２５  動画出力部
【図１】
2017135039.tif 000003
【図２】
2017135039.tif 000004
【図３】
2017135039.tif 000005
【図４】
2017135039.tif 000006
【図５】
2017135039.tif 000007
【図６】
2017135039.tif 000008
【図７】
2017135039.tif 000009
【図８】
2017135039.tif 000010
【図９】
2017135039.tif 000011
【図１０】
2017135039.tif 000012
【図１１】
2017135039.tif 000013
【図１２】
2017135039.tif 000014
【図１３】
2017135039.tif 000015
【国際調査報告】
2017135039.tif 000016
2017135039.tif 000017
2017135039.tif 000018
2017135039.tif 000019